【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
複数種類の絵柄が施され、回転駆動される複数のリールと、
前記リールの回転を開始させるためのスタートスイッチと、
各々の前記リールに対応して設けられ、前記リールの回転を個別に停止させるための停止スイッチと、
複数種類の入賞役の内部当選の当否を抽選する抽選手段と、
前記抽選手段の抽選結果に基づいて、前記リールの停止制御を行うリール停止制御手段と、
停止時の前記リールにより表示された前記絵柄の組合せが、予め定めた絵柄の組合せであるか否かに基づいて前記複数種類の入賞役の入賞を判定する入賞判定手段と、
複数種類の演出を実行する演出手段と、
遊技者のベット操作を受け付ける操作手段と、
を備えた遊技台において、
前記複数種類の演出は、前記操作手段に対する操作態様が特定の操作態様の場合にのみ前記演出手段により実行される特定演出を含み、
前記特定演出は、前記抽選手段の抽選結果のうち、特定の入賞役の前記内部当選を遊技者に報知する報知演出を含み、
前記抽選手段により前記特定の入賞役に前記内部当選した場合、前記入賞判定手段により前記特定の入賞役に入賞したと判定されるまで当該当選結果が維持され、
前記報知演出は、
前記抽選手段により前記特定の入賞役に内部当選した後、前記入賞判定手段により前記特定の入賞役に入賞したと判定される前に実行され、
前記操作手段に対する操作があった場合に、遊技者のベット操作を受け付けるベット処理中か否かを判定する操作判定手段を更に備え、
前記演出手段は、前記操作判定手段がベット処理中の操作ではないと判定した場合であって、前記操作手段に対する操作態様が特定の操作態様の場合にのみ前記特定演出を実行することを特徴とする遊技台。
【請求項２】
前記特定の操作態様が、予め定められた時間内における前記操作手段に対する操作の回数が所定回数以上の場合であることを特徴とする請求項１に記載の遊技台。
【請求項３】
前記複数種類の演出は、前記操作手段に対する操作を促す操作要求演出を含み、
前記抽選手段による抽選の結果、前記内部当選した場合、前記演出手段は、前記操作手段に対する操作態様が前記特定の操作態様の場合には前記報知演出を実行する一方、前記特定の操作態様でない場合には前記操作手段に対する操作態様が前記特定の操作態様でない旨を報知する演出を実行することを特徴とする請求項１又は２に記載の遊技台。
【請求項４】
前記操作要求演出では、前記操作手段に対する操作状況が報知されることを特徴とする請求項３に記載の遊技台。
【請求項５】
前記複数種類の演出は、所定の条件が成立した時にいずれかを選択可能な複数種類の演出モードを含み、
前記演出モードの種類は、前記操作手段に対する操作態様に基づいて選択されることを特徴とする請求項１乃至４のいずれかに記載の遊技台。
【請求項６】
前記演出手段が、画像を表示する表示手段を備え、
前記複数種類の演出モードは、それぞれ、前記表示手段により表示されるキャラクタが異なることを特徴とする請求項５に記載の遊技台。
【請求項７】
前記演出手段が、複数種類の音楽を出力する音楽出力手段を備え、
前記音楽出力手段により出力される音楽の種類は、前記操作手段に対する操作態様に基づいて選択されることを特徴とする請求項１乃至６のいずれかに記載の遊技台。
【請求項８】
前記演出手段が、
画像を表示する表示手段と、
前記表示手段の表示画面を遊技者から遮蔽可能な遮蔽手段と、を備え、
前記表示手段の表示内容と前記遮蔽手段とは、前記操作手段に対する操作態様に基づいて制御されることを特徴とする請求項１乃至７のいずれかに記載の遊技台。
【手続補正２】
【補正対象書類名】明細書
【補正対象項目名】０００６
【補正方法】変更
【補正の内容】
【０００６】
本発明によれば、複数種類の絵柄が施され、回転駆動される複数のリールと、
前記リールの回転を開始させるためのスタートスイッチと、各々の前記リールに対応して設けられ、前記リールの回転を個別に停止させるための停止スイッチと、複数種類の入賞役の内部当選の当否を抽選する抽選手段と、前記抽選手段の抽選結果に基づいて、前記リールの停止制御を行うリール停止制御手段と、停止時の前記リールにより表示された前記絵柄の組合せが、予め定めた絵柄の組合せであるか否かに基づいて前記複数種類の入賞役の入賞を判定する入賞判定手段と、複数種類の演出を実行する演出手段と、遊技者のベット操作を受け付ける操作手段と、を備えた遊技台において、前記複数種類の演出は、前記操作手段に対する操作態様が特定の操作態様の場合にのみ前記演出手段により実行される特定演出を含み、前記特定演出は、前記抽選手段の抽選結果のうち、特定の入賞役の前記内部当選を遊技者に報知する報知演出を含み、前記抽選手段により前記特定の入賞役に前記内部当選した場合、前記入賞判定手段により前記特定の入賞役に入賞したと判定されるまで当該当選結果が維持され、前記報知演出は、前記抽選手段により前記特定の入賞役に内部当選した後、前記入賞判定手段により前記特定の入賞役に入賞したと判定される前に実行され、前記操作手段に対する操作があった場合に、遊技者のベット操作を受け付けるベット処理中か否かを判定する操作判定手段を更に備え、前記演出手段は、前記操作判定手段がベット処理中の操作ではないと判定した場合であって、前記操作手段に対する操作態様が特定の操作態様の場合にのみ前記特定演出を実行することを特徴とする遊技台が提供される。
【手続補正３】
【補正対象書類名】明細書
【補正対象項目名】０００７
【補正方法】変更
【補正の内容】
【０００７】
本発明の遊技台によれば、前記報知演出が前記操作手段に対する操作態様が特定の操作態様の場合にのみ実行される。また、当該報知演出を望む遊技者、つまり、前記特定の入賞役の当選の有無を知りたい遊技者は前記操作手段を前記特定の操作態様にて操作する必要がある。従って、遊技者が演出内容に関与でき、かつ、演出内容に関する遊技者の操作意欲を増大させることができる。また、遊技者のベット操作と演出内容に関する操作とを共通の操作手段で受け付けることができる。
【手続補正４】
【補正対象書類名】明細書
【補正対象項目名】０００８
【補正方法】削除
【補正の内容】
【手続補正５】
【補正対象書類名】明細書
【補正対象項目名】００１０
【補正方法】変更
【補正の内容】
【００１０】
また、本発明においては、前記複数種類の演出は、前記操作手段に対する操作を促す操作要求演出を含み、前記抽選手段による抽選の結果、前記内部当選した場合、前記演出手段は、前記操作手段に対する操作態様が前記特定の操作態様の場合には前記報知演出を実行する一方、前記特定の操作態様でない場合には前記操作手段に対する操作態様が前記特定の操作態様でない旨を報知する演出を実行する構成を採用できる。この構成によれば前記操作要求演出により遊技者に対して前記操作手段への操作タイミングを知らしめることができると共に、前記操作手段に対する操作如何で前記報知演出が実行されるとの期待感を遊技者に与えることができる。更に、前記特定の操作態様がなされなかったことを報知することで次回の操作時への遊技者の操作意欲を高めることができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１９
【補正方法】変更
【補正の内容】
【００１９】
以上述べた通り、本発明によれば、遊技者が演出内容に関与でき、かつ、演出内容に関する遊技者の操作意欲を増大させることができる。また、遊技者のベット操作と演出内容に関する操作とを共通の操作手段で受け付けることができる。
【手続補正１０】
【補正対象書類名】明細書
【補正対象項目名】００６８
【補正方法】変更
【補正の内容】
【００６８】
Ｓ２３では現在の処理状況がベット処理中か否かを判定する。該当する場合はＳ２５へ進み、該当しない場合はＳ２４へ進む。Ｓ２４ではベットボタン１３０、１３１に対する操作があったことを示す操作情報をコマンドとして副制御部４００へ送信する。Ｓ２５では現在のベット数がＳ１２で設定された規定枚数未満か否かを判定する。該当する場合はＳ２６へ進み、該当しない場合はＳ２７へ進む。Ｓ２６では現在のクレジット数が１以上か否かを判定する。該当する場合はＳ２８へ進み、該当しない場合はＳ２７へ進む。なお、クレジット数に関する情報は上述した通りＲＡＭ３１３の所定の記憶エリアに格納されている。